(57)【要約】【課題】鮎の掛け釣りにおいて、障害に掛からないように掛かっても外しやすくして釣果を上げた重りを提供する。【解決手段】鉛玉１に線バネで傘を差した形状図１に工作。傘線２の端は固定されておらず１８、緩衝作用弾力作用や湾曲作用の範囲を広げている。傘線は広範囲に張り出した図３頂点が鈍角の平らな四角錐形状で、石の隙間に入ることを防ぎ障害の乗り越えを容易にしている。重りが隙間に挟まるときは傘線が湾曲図５、鉛玉が浮いた状態で取り外しを容易にしている。などで、掛かりや根掛かりを防いでいる。この効果で、鮎の棲む川底に仕掛けを沈め通しやすくなった。重りの石と接触時の振動や瞬間の加速を活用した鮎を掛ける新手法の開拓がなった。ことなどから、釣果を上げた鮎掛け傘重り。【選択図】  図１
2004180658.tif 000002
【特許請求の範囲】
【請求項１】
線バネで鉛玉に、傘を差している形状に工作したことで、石の隙間への接触を柔軟にかつ広範囲にして、重りの掛りや根掛を少なくした鮎掛け傘重り。
【請求項２】
傘線の端末を固定しないことで、緩衝作用弾力作用や湾曲作用を、多方向に幅広くした請求項１記載の鮎掛け傘重り。
【請求項３】
傘線の四角錐形状の頂点の内角を鈍角にすることで、接触面を平たくして、隙間に入らないようにした請求項１又は２記載の鮎掛け傘重り。
【請求項４】
重りの中心に先留糸を留めて、重りの中心に重心を維持することで、後留糸の擦り切れを防止した請求項１、２又は３記載の鮎掛け傘重り。
【請求項５】
鉛玉の低部を平坦にして、重りの中心に重心を維持することで、後留糸の擦り切れを防止した請求項１、２、３又は４記載の鮎掛け傘重り。
【請求項６】
傘線の長さを中線の同長以上にして、鉛玉の保護をした請求項１、２、３、４又は５記載の鮎掛け傘重り。
【発明の詳細な説明】
【０００１】
【発明の属する技術分野】
本発明は、鮎の掛け釣りのときに使用する重りが、石の隙間などの障害に掛からないように、掛かっても外れやすいように創意工夫したものである。
【０００２】
【従来の技術】
鮎を掛けて釣るときのつながりは、  人→釣竿→道糸→重り→掛け針仕掛け→鮎  となっている。
【０００３】
従来行なわれている鮎の掛け釣り中の、転がし釣りは、仕掛けを対岸に向かって振り込んで川下に引く。しゃくり釣りは、仕掛けを川下に振り込んでしゃくるようにして川上に引く。あるいは、仕掛けを川上に振り込んで川下に引くなどがある。これらを釣場に合わせて混用している。いずれも、幾つもの釣り針を連ねた掛け針仕掛け１６を、水流や水深の水の抵抗を考慮した重さの重りで沈め、川底を引くことで鮎を掛ける釣り方である。
【０００４】
鮎の主食は石に着く珪藻であることや、捕食者への警戒もあって、川底の石の間が鮎の主な棲み処になっている。仕掛けの掛かりやすい石の隙間などの障害の多い川底に、仕掛けを沈めるのにはこのようなわけが有る。
【０００５】
従来一般に使用されている重り図２は、鉛玉１９に糸を通している。糸には結びこぶが四カ所ある。重りの移動の防止と釣り糸の保護を兼ねた二つの結びこぶ１３と、道糸と掛け針仕掛けを留める為に両端の結びこぶ二つ１４がある。道糸と掛け針仕掛けへの重りと糸の向きはどちらでもよい。
【０００６】
この重りを装着した仕掛けで川底を引くと、重りが石の隙間などの障害に掛かり根掛りとなることが頻繁にある。
【０００７】
掛かるとこれを外すために、竿先を左右や上に動かし仕掛けを引く。引く力に変化を加える。釣竿２２の弾力を利用して、釣竿を煽るように振って衝撃を加える。位置を移動して同じように繰り返す。など種々なことを行なう。しかし、どのようにしても外れないで根掛かりになり釣り糸が切れて、または自ら釣り糸を切ることで仕掛けを失う。
【０００８】
水深が浅いとか水流が緩やかな場合には、移動して直接手で外すこともあるが、川底は不整地で足場が悪くぬるぬるしていて滑りやすい。その上、水流が加わるなどで足をとられて転び石で大怪我をすることが有る。川に慣れていない人や高齢などで体力のない人は、自ら釣り糸を切ることが多くなる。
【０００９】
掛かるのは、重りと釣針が主因であるが、二つは相関関係に有る。重りが掛かり停止したことで釣針が掛かる事が有る。釣針が掛かり停止したことで重りが掛かる事が有る。重りは重量によって障害となる隙間に沈みやすい。仕掛けが川底に押しつけられたり隙間に流れ込むことで、釣針は障害に刺さる或いは掛かるきっかけとなるからである。
【００１０】
つまり、当初の掛かりは次の掛かりの原因になる。重りを掛からなくすることは、釣針の掛かる原因も少なくすることになる。
【００１１】
また、掛かりを少なくすることは運動エネルギーを維持することである。運動エネルギーが作用しているうちは、多少の掛かりは外しながら移動する。このことから掛かることで停止することは更に少なくなる。
【００１２】
掛かった仕掛けが外れた途端に、引いていた力と釣竿の弾力や仕掛けの重量によって仕掛けが飛び跳ねることで、幾つもの曲げた釣針と細く柔らかい釣り糸が複雑に絡まってしまう事が有る。この様な掛け針仕掛けを解きほぐすのは経験や根気が必要で、煩わしくて掛け針仕掛けを取り替える事が有る。この煩わしさのため鮎の掛け釣りを諦めている人もいる。
【００１３】
激流の川底は、大石が入り組んでいて隙間が奥深いく流れの変化が激しい。ここに仕掛けを振り込むと揉まれ煽られて障害に掛かりやすい。掛かった仕掛けは、激流に強く押しつけられたり引っ張られる。奥深い隙間に流れ込む。あるいは、移動は流される危険で限られてくる。などで取り外しは困難根掛となることが特に多い。このため多数の仕掛けを失うことになる。これを嫌い、この様な場所には誰もが釣りたい大鮎が棲むと知りながら敬遠する人も多い。
【００１４】
このような問題を解決しようと、特開平９−５１７４７５号公報が開示する重りが提案されている。
【００１５】
この重りは、弾力の有る針金を四角錐形状に束ね、下部を内側に曲げてそこに鉛玉を取り付けている。四角錐形状の針金の効果で、掛りや根掛かりを防止している。しかし、全体としては固形物で有ることからその効果は限られる。
【００１６】
仕掛けを振り込んだ際に重りが石に衝突することが多発する。水面上に出ている石は回避しやすいが、随所に有る水面直下の石の判断は、波で見通しがきかないことや光の乱反射などで分かり難い。衝突すると、弾力の有る針金でも端を固定されていて緩衝の幅が狭いため、運動エネルギーを逸らすような動きができないことも有り、支えきれないで針金が変形することがある。変形した針金が掛かりや根掛の原因になることが有り、使用できなくなる欠点が有った。
【００１７】
また、弾力有る四角錐形状の針金が固定されて連携が有ることで、変形が複雑強固になり修正が容易ではない。
【００１８】
【発明が解決しようとする課題】
本発明は、前記した従来の問題を解決しようと開発されたもので、石の隙間などの障害に掛からないように、掛かっても外れやすくする。このことで鮎が棲み処とする川底に仕掛けを沈みやすく石の間を通りやすくする。石の衝突に耐える針金使用の重りを作成する。仕掛けの絡む原因を少なくする。この様にすることで、鮎の釣果を上げた重りを提供することを目的としたものである。
【００１９】
【課題を解決するための手段】
鉛玉１に工作した線バネを取り付けている図１図３。工作した傘線２の端末１８は固定されていない。これは傘線の端が多方向に幅広く動くことを可能にしており、衝突図４や接触の運動エネルギーの緩衝を容易にしている。
【００２０】
緩衝が容易なことと、運動エネルギーを傘線が湾曲して逸らす。鉛玉に支えられ分担する。などで、多発する振込時の石の衝突から線バネの形状維持を容易にしている。
【００２１】
線バネの、緩衝作用湾曲作用や復元作用、それに端が固定されていない平坦で広範囲な四角錐形状図１図３は、頂点２０を斜め上方から引かれることで、障害の通過や乗り越えを容易にしている。これらの作用や効果により、釣竿２２による引きを弱くしたり遅くすることも可能。引く力や速度が平均化するなどで操作がしやすい。掛かった重りの取り外しは、引きが強いことや速いほど、石の隙間に奥深く強く入り込み困難になる。
【００２２】
図５、重りが掛かった場合の状態は、傘線が障害と接触していて、固形物の鉛玉は傘線から離れ浮いた状態で重りの動く余裕が有る。
【００２３】
重りが掛かると、周囲の凹凸や外すために加えられる力の強さや方向に対して、バネ線の弾力作用湾曲作用や復元作用と、重りの形状や端を固定していない１８効果で、重りが変形して順応、取り外しを容易にしている。
【００２４】
傘線の四角錐形状図１の頂点の内角２０を鈍角にしたことで、接触面が平たく広範囲図３になる。中心の中線３により嵩高になっていて、掛かる原因になりやすい隙間に入りにくい。この様な作用により掛かりを少なくしている。掛かっても前記の作用や効果から取り外しを容易にして根掛を少なくした重りである。
【００２５】
掛りや根掛を少なくしたことで、遅く引いたり重りを重くして、仕掛けを鮎の棲む川底の石の間に沈めやすく通しやすくなった。仕掛けを遅く動かすことは、鮎の警戒心の誘発を防ぐ効果もある。
【００２６】
【発明の実施の形態】
以下、図面に基ずいて説明する。図１図３図４図５図６は、二本の線バネを折曲げて中線四本傘線四本としたものを示している。
【００２７】
鉛玉１に、線バネを工作して傘を差した形状図１で取り付けている。線バネを折曲げた部分に、中線３を巻いて束ねひと結びで締め４、先留め糸７を重りの中心に留める一重結びのこぶ５と、道糸１５を留める一重結びのこぶ６をつけた先留糸が着いている。鉛玉の中心を丸曲げ８にして折り返された中線が通されている１０。中線の丸曲げにした部分は鉛玉から出ていて、そこに掛け針仕掛け１６を留めるために一重結びのこぶ１１にした後留糸１２が通されている。傘線２は四角錐の形状で均等に張り出している図３。このような特徴がある。
【００２８】
先留糸７を図３のように、結びこぶ５で重りの中心で留めたのは、重りの重心を中心に維持するためである。重心が中心からずれると重りの重い面に石との衝突や接触が集中して鉛玉の変形が進み、中線の丸曲げ８した部分が曲がることが有る。曲がると後留糸１２が鉛玉と中線に挟まり固定されて擦り切れる原因となるからである。
【００２９】
鉛玉の低部を平坦９にした図４図５のは、丸みを帯びていると石１７と衝突した際、当たり方によっては丸みに沿って滑り、中線の丸曲げした８突出部分が石にぶつかり曲がることがある。曲がると掛け針仕掛け１６からの引く力の中心が変わり、重心と中心がずれて前記したように連結糸１２の擦り切れの原因となるからである。
【００３０】
中線３を先留糸７で束ねている４が動く余裕は持たせている。この余裕は、傘線２が受けた衝撃の動きを中線の捻り作用によって緩衝することで、傘線の緩衝範囲を広くしている。また、長く振動を受け続けると金属疲労で折れることが有るがその防止にも役立っている。
【００３１】
バネ線の緩衝作用で重りと石１７との衝突図４や接触の音を押さえている。この効果は鮎が驚いて散るのを防いでいる。
【００３２】
傘線の長さを中線の同長以上にしたことで、衝突や接触の際に、傘線２が湾曲して鉛玉が重りの中図４図５になる。この傘線が鉛玉から離れて緩衝作用をしていることから、変形しやすい鉛玉の形状維持に役立っている。
【００３３】
重りが、石との接触時の現象を積極的に活用した新手法が開拓された。
【００３４】
重りが、石との接触時には釣竿の湾曲作用で制動が良く効き、離れると釣竿の復元作用で加速する。この瞬間の加速した動きは掛け針仕掛け１６に伝わる。また、傘線の接触時の緩衝の振動も伝わる。鮎の鱗は固く単に接触したくらいでは針は刺さりにくい。だが、傘線の振動そして瞬間の加速は、針先にかかる運動エネルギーが強くなる一瞬を連続して発生する作用をしている。その強い運動エネルギーにより針の刺さる機会を多くしている。
【００３５】
重りを川底深く沈めて引くと石との接触が多くなる。傘線の四方に平たく広範囲に張り出している図３ことで、数多くの凹凸に接触する効果も加わる。接触回数が更に増して針の刺さる機会が格段に増えた。この様な効果を得るために、釣竿に手元で振動を与えたり、小刻みな引き方をする釣り方も有る。この方法は結構釣れるのだが続けると疲れるのでやっている人は希である。
【００３６】
重りの石との接触の感触は手元に伝わり、仕掛けの移動状態を判断する基になる。川の状況や釣方などと合わせた判断により、引く速度や重りの重さを調整することで、適度に連続して重りを石に接触させることができる。この方法によって、前記の効果を簡単に楽に得ることができる。
【００３７】
重りと石の接触を積極的に活用した方法は、従来の重りの機能では考えを至らすことができなかった。鮎掛け傘重りの発明により、仕掛けを遅く動かすことができる。緩衝作用で衝突や接触の音を押さえている。などで鮎の警戒心の誘発を防ぎ散るのを防いでいる。この様な条件が整い、新しい鮎の掛け釣りの手法を開拓することができたのである。
【００３８】
〔その他の実施の形態〕
（１）  鉛玉１の形状は、球状以外の形状を以て構成されることも有る。
【００３９】
図６は球状以外の形状の一例を示すもので弾丸２１の形状になっている。
【００４０】
（２）  線バネは、他の弾力の有る線状材を以て構成されることも有る。
【００４１】
（３）  傘線２中線３の本数は限定されない。
【００４２】
（４）  バネ線での端を固定していない傘のような形状は、重りの掛りや根掛を防ぐため他の重りに構成されることも有る。
【００４３】
（５）  先留糸の、中線を束ねたり重りの中心に重心を維持することや、傘線の緩衝を許容するものであれば、各種の公知の手段を採用できる。
【００４４】
（６）  中線の端を鉛玉の中に鋳固めて構成されることも有る。
【００４５】
【発明の効果】
鮎の掛け釣りに使われる重りの掛かりや根掛を極めて少なくした効果。
【００４６】
重い重りを使うことや遅く引くことで、鮎の棲む石の間に仕掛けを深く沈めて通すことが可能になり、鮎の掛かりが多くなった。このことだけでも従来から比べれば倍単位で釣果が上がっている。加えて、石との接触の瞬間の振動や加速を活用した新手法、の効果で鮎の掛かりが俄然良くなった。仕掛けの絡む原因が少なくなったことで煩わしさが減少した。仕掛けの損失が少なくなった。川中での移動が少なくなり危険防止に役立っている。
【００４７】
激流での効果は絶大で、大鮎とのやりとりに楽しい興奮をすることが多くなった。普通に鮎釣を趣味としている人であれば、諦めていた原因が減少して未知の領域の醍醐味を容易に味わうことができる。
【００４８】
石との衝突や接触によるバネ線の曲がり具合。傘線は、多方向に幅広く運動エネルギーを緩衝できるので変形は少なく小さい。変形しても端を固定していない一本線の単純な曲がりなので、修正を手直しでも可能、何時でも直せるという安心感が有る。中線は、重りの中央に有り石に当ることは少なく、束ねられていて強固で曲がることは希である。
【００４９】
支障が少なくなったことで、釣竿の操作や心構えに余裕が生まれ心身の疲労が少なくなった。
【００５０】
以上記述してきたように、鮎の習性を念頭に鉛玉に線バネで創意工夫した重りを作成することで、鮎の掛け釣りの楽しみや可能性を多様にして、釣果を著しく上げた本発明の鮎掛け傘重りである。
【図面の簡単な説明】
【図１】鮎掛け傘重りの装着概要図である。
【図２】従来の重りの概要図である。
【図３】先留め糸が中心に留められ、傘線が広範囲に張り出している説明図である。
【図４】重りが石に衝突、鉛玉から離れて緩衝作用をしている説明図である。
【図５】重りが石の隙間に挟まり湾曲、鉛玉が浮いた状態で止まり、取り外しの容易性を示した説明図である。
【図６】鉛玉が、球状以外の一例の弾丸状を示した重りの説明図である。
【符号の説明】
１  鉛玉
２  傘線
３  中線
４  中線を巻いて束ねている。
５  重りの中心に先留め糸を留める結びこぶ。
６  道糸を留める結びこぶ。
７  先留め糸
８  中線の丸曲げして折り返した部分。
９  鉛玉の平坦部。
１０  中線が鉛玉の中を通っている状態。
１１  掛け針仕掛けを留める結びこぶ。
１２  後留め糸
１３  重りの移動防止と釣り糸保護の結びこぶ。
１４  道糸か掛け針仕掛けを留める結びこぶ。
１５  道糸
１６  掛け針仕掛け
１７  石
１８  傘線の端が固定されていない状態。
１９  従来の重りの鉛玉。
２０  傘線の鈍角を示す。
２１  弾丸形状の鉛玉。
２２  釣竿
【図１】
2004180658.tif 000003
【図２】
2004180658.tif 000004
【図３】
2004180658.tif 000005
【図４】
2004180658.tif 000006
【図５】
2004180658.tif 000007
【図６】
2004180658.tif 000008